(57)【要約】      （修正有）【課題】ケーブル防護管を切断することなくケーブルの保護長さに応じた長さに容易に調整することができ、ケーブル防護管の軸方向の移動によるケーブルの損傷や切断を防止することが可能な可動型ケーブル用防護管装置を提供する。【解決手段】ケーブル防護管２１に、ＦＴＴＨケーブルを管内に挿入するためのケーブルの軸方向に延びる開閉可能な開口部２１ａと、ＦＴＴＨケーブルの軸方向に移動可能に重ね合わされた隣接するケーブル用防護管２２をＦＴＴＨケーブルの軸方向の任意の位置に固定する固定手段２１ｂとを設ける。【選択図】図４
2009153243.tif 000002
【特許請求の範囲】
【請求項１】
ケーブルを管内に収納するケーブル防護管を前記ケーブルの軸方向に複数配設するケーブル用防護管装置であって、前記ケーブル防護管に、前記ケーブルを管内に挿入するための前記ケーブルの軸方向に延びる開閉可能な開口部と、前記ケーブルの軸方向に移動可能に重ね合わされた隣接するケーブル防護管を前記ケーブルの軸方向の任意の位置に固定する固定手段と、を設けたことを特徴とする可動型ケーブル防護管装置。
【請求項２】
前記ケーブル防護管の固定手段は、前記開口部に沿って前記ケーブルの軸方向に延びるフランジから構成されており、該フランジは前記ケーブルの軸方向に所定の間隔で形成された複数の固定穴を有していることを特徴とする請求項１に記載の可動型ケーブル防護管装置。
【請求項３】
前記ケーブル防護管の端部には、前記ケーブルの分岐部を防護するＴ字型ケーブル防護管が連結されていることを特徴とする請求項１に記載の可動型ケーブル防護管装置。
【発明の詳細な説明】
【技術分野】
【０００１】
この発明は、通信ケーブルなどを外力から防護するために用いられるケーブル防護管装置に関し、特に必要に応じてケーブル防護管の長さを容易に調整することが可能な可動型ケーブル防護管装置に関する。
【背景技術】
【０００２】
通信ケーブルは、樹木などとの干渉による損傷を防止するために合成樹脂からなるケーブル防護管により保護される場合がある。ＦＴＴＨ（Ｆｉｂｅｒ  Ｔｏ  Ｔｈｅ  Ｈｏｍｅ）は、光ファイバを伝送路として一般個人宅へ直接引き込むアクセス系の光通信網の構成方式であり、これに用いられるＦＴＴＨケーブルはケーブルハンガーを介して電柱間の吊線に支持されている。ケーブル防護管は、開口部が閉塞可能なタイプのものが用いられており、開口部の閉塞によってケーブルは吊線およびケーブルハンガーとともに全周にわたって覆われるようになっている。従来においては、既製品のケーブル防護管は軸方向の長さが２ｍまたは３ｍの２種類と決まっており、必要とされるケーブル保護長さに応じてこれらを組合せて使用している。
【０００３】
従来から通信ケーブルを保護する技術として、下記の特許文献１，２が知られている。特許文献１の保護カバーは、保護カバー本体を軸方向に連結するものであり、連結部が衝撃などによって外れない構成となっている。特許文献２の保護カバーは、強風などによって本体管の回動を防止する機能を有している。
【特許文献１】特開平１０−６４３４５号公報
【特許文献２】特開２０００−２９９９１５号公報
【発明の開示】
【発明が解決しようとする課題】
【０００４】
しかし、ＦＴＴＨケーブルを途中で分岐させ一般個人宅へ引き込む場合は、従来のケーブル防護管を用いることより下記の問題が存在した。すなわち、従来のケーブル防護管は軸方向の長さが２種類と決まっているので、引き込みケーブルの間隔が２ｍよりも狭い場合は、ケーブル防護管を保護長さに応じた長さに切断する必要があり、現場での作業が増え作業能率が低下するという問題がある。また、引き込みケーブルの間隔に対してケーブル防護管の軸方向の長さが短すぎると、ケーブル防護管が軸方向に移動してＦＴＴＨケーブルと干渉し、ＦＴＴＨケーブルの損傷や切断を招くという問題があった。さらに、従来のケーブル防護管においては、ケーブルの分岐部をカバーできないという問題があった。この問題は、ＦＴＴＨケーブルに限られず、他の種類の通信ケーブルや電力ケーブルを防護管によって防護する際にも生じる。
【０００５】
そこでこの発明は、ケーブル防護管を切断することなくケーブルの保護長さに応じた長さに容易に調整することができ、ケーブル防護管の軸方向の移動によるケーブルの損傷や切断を防止することが可能な可動型ケーブル防護管装置を提供することを目的とする。
【課題を解決するための手段】
【０００６】
上記目的を達成するために請求項１に記載の発明は、ケーブルを管内に収納するケーブル防護管を前記ケーブルの軸方向に複数配設するケーブル用防護管装置であって、前記ケーブル防護管に、前記ケーブルを管内に挿入するための前記ケーブルの軸方向に延びる開閉可能な開口部と、前記ケーブルの軸方向に移動可能に重ね合わされた隣接するケーブル防護管を前記ケーブルの軸方向の任意の位置に固定する固定手段と、を設けたことを特徴とする可動型ケーブル防護管装置である。
【０００７】
この発明によれば、重ね合わされた隣接する可動型ケーブル防護管装置はケーブルの軸方向の任意の位置に固定することが可能となり、重ね合わされたケーブル防護管の全長は所望の長さに調整される。
【０００８】
請求項２に記載の発明は、請求項１に記載の可動型ケーブル防護管装置において、前記ケーブル防護管の固定手段は、前記開口部に沿って前記ケーブルの軸方向に延びるフランジから構成されており、該フランジは前記ケーブルの軸方向に所定の間隔で形成された複数の固定穴を有していることを特徴としている。
【０００９】
請求項３に記載の発明は、請求項１に記載の可動型ケーブル防護管装置において、前記ケーブル防護管の端部には、前記ケーブルの分岐部を防護するＴ字型ケーブル防護管が連結されていることを特徴としている。
【発明の効果】
【００１０】
請求項１および請求項２に記載の発明によれば、重ね合わされたケーブル防護管のケーブル軸方向の長さを任意に調整することができるので、ケーブル防護管の長さを例えば引き込みケーブルの間隔に一致させることができる。これにより、引き込みケーブルの間におけるケーブル防護管の軸方向の動きを確実に防止することができ、ケーブル防護管との干渉によるケーブルの損傷や切断を防止することができる。また、従来のようにケーブル防護管を現場にて切断する必要がないので、ケーブル引き込み作業能率を高めことができる。さらに、重ね合わされたケーブル防護管を最小長さに収縮させて保管することにより、保管場所におけるケーブル防護管の保管スペースを縮小することができる。
【００１１】
請求項３に記載の発明によれば、ケーブルの分岐部とケーブル防護管との直接接触を回避することができ、ケーブルの保護機能をさらに高めることができる。
【発明を実施するための最良の形態】
【００１２】
つぎに、この発明の実施の形態について図面を用いて詳しく説明する。
【００１３】
図１ないし図１１は、この発明の実施の形態を示している。図１において、符号１は電柱間に渡された吊線を示しており、吊線１は引張り強度の高い鋼線などから構成されている。吊線１の外周には螺旋状のケーブルハンガー５が配設されており、このケーブルハンガー５は吊線１の延線方向に沿って延びている。この実施の形態におけるケーブルとしてのＦＴＴＨケーブル２は、光ファイバを伝送路として一般個人宅へ直接引き込むアクセス系の光通信網に使用されるものであり、複数の心線２ａ〜２ｎを有している。図１においては、ＦＴＴＨケーブル２の複数の心線２ａ〜２ｎのうち、心線２ａ〜２ｃがケーブルハンガー５の内側を通るように配設されており、心線２ａ〜２ｃはケーブルハンガー５を介して吊線１に吊下げられている。さらに、ＦＴＴＨケーブル２における心線２ａ〜２ｃのうち心線２ｂと心線２ｃは、途中でそれぞれ分岐されており、一般個人宅へ引き込まれている。
【００１４】
図２および図３は、ＦＴＴＨケーブル２における心線２ｃの一般個人宅への引き込み状態を示している。心線２ｃを家屋５０に引き込む際は、図３に示すように吊線１に支持金具３が固定され、この支持金具３の先端部には引き留め具４が連結される。心線２ｃは、引張り強度の高い補強線２ｃａを有しており、補強線２ｃａの端部が引き留め具４に支持された状態で補強線２ｃａとともに家屋５０側に引き込まれている。家屋５０の外壁部５１には固定具６が取付けられており、家屋５０内に引き込まれる心線２ｃの途中は固定具６によって固定されるようになっている。家屋５０内に引き込まれた心線２ｃは、室内５２に配置された通信用端末機器５３に接続されている。
【００１５】
つぎに、ＦＴＴＨケーブル２を防護するためのＦＴＴＨケーブル防護管装置１０について説明する。図１に示すように、吊線１およびケーブルハンガー５によって吊り下げられたＦＴＴＨケーブル２の分岐部は、複数のケーブル防護管からなるＦＴＴＨケーブル防護管装置１０によって防護されている。この実施の形態においては、ＦＴＴＨケーブル防護管装置１０は、軸方向に伸縮可能な可動型ケーブル防護管装置２０と、ＦＴＴＨケーブル２の分岐に用いられるＴ字型ケーブル防護管３０と、軸方向に所定の長さを有する固定型ケーブル防護管４０とを有している。
【００１６】
図４は、可動型ケーブル防護管装置２０の詳細を示している。可動型ケーブル防護管装置２０は、ケーブル防護管としての合成樹脂からなる外側防護管２１および内側防護管２２を有している。外側防護管２１と内側防護管２２は、ＦＴＴＨケーブル２の軸方向に互いに移動可能となるように重ね合わされている。外側防護管２１は、ＦＴＴＨケーブル２の軸方向に延びる筒状に形成されており、ＦＴＴＨケーブル２を管内に挿入するための開閉可能な開口部２１ａを有している。開口部２１ａは、ＦＴＴＨケーブル２の軸方向に延びており、外側防護管２１の全長にわたって形成されている。外側防護管２１には、ＦＴＴＨケーブル２の軸方向に移動可能に重ね合わされた隣接する内側防護管２２をＦＴＴＨケーブル２の軸方向の任意の位置に固定するともに、開口部２１ａを閉塞させる固定手段としての一対のフランジ２１ｂが形成されている。フランジ２１ｂは、開口部２１ａに沿ってＦＴＴＨケーブル２の軸方向に延びており、フランジ２１ｂはＦＴＴＨケーブル２の軸方向に所定の間隔で形成された多数の固定穴２１ｃを有している。
【００１７】
内側防護管２２は、ＦＴＴＨケーブル２の軸方向に延びる筒状に形成されており、外側防護管２１の内側に配設されることから外径が外側防護管２１よりも若干小に形成されている。内側防護管２２は、ＦＴＴＨケーブル２を管内に挿入するための開閉可能な開口部２２ａを有している。開口部２２ａは、ＦＴＴＨケーブル２の軸方向に延びており、外側防護管２２の全長にわたって形成されている。内側防護管２２には、外側防護管２１をＦＴＴＨケーブル２の軸方向の任意の位置に固定するともに、開口部２２ａを閉塞させる固定手段としての一対のフランジ２２ｂが形成されている。フランジ２２ｂは、開口部２２ａに沿ってＦＴＴＨケーブル２の軸方向に延びており、フランジ２２ｂはＦＴＴＨケーブル２の軸方向に所定の間隔で形成された多数の固定穴２２ｃを有している。
【００１８】
このように、可動型ケーブル防護管装置２０は、外側防護管２１と内側防護管２２とが重ね合わされた構成となっており、固定手段としての外側防護管２１側のフランジ２１ｂおよび内側防護管２２側のフランジ２２ｂは、開口部２１ａ、２２ａを閉塞させる機能と、外側防護管２１と内側防護管２２をＦＴＴＨケーブル２の軸方向の任意の位置に固定する機能を有している。詳しくは、図４に示すように、外側防護管２１と内側防護管２２とが重ね合わされた状態では、フランジ２１ｂの内側にフランジ２２ｂが位置することになり、重なった外側防護管２１の固定穴２１ｃと内側防護管２２の固定穴２２ｃに連結用紐Ｈを通し、連結用紐Ｈによりフランジ２１ｂとフランジ２２ｂとを縛ることにより、外側防護管２１と内側防護管２２をＦＴＴＨケーブル２の軸方向の任意の位置に固定することが可能となる。また、上記の連結用紐Ｈによるフランジ２１ｂとフランジ２２ｂとの縛りにより、外側防護管２１の開口部２１ａと内側防護管２２の開口部２２ａは閉塞するようになっている。この実施の形態においては、上述したように、内側防護管２２は外側防護管２１よりも外径が若干小に形成されているが、外側防護管２１と内側防護管２２との軸方向の動きを連結用紐Ｈによって拘束することができれば、外側防護管２１と内側防護管２２は同径であってもよい。
【００１９】
図８ないし図１０は、可動型ケーブル防護管装置２０と連結されるＴ字型ケーブル防護管３０の詳細を示している。Ｔ字型ケーブル防護管３０は、合成樹脂からなる半割り形の筒体３１を有しており、筒体３１は軸方向に延びる連結部Ｃを中心として上下方向に開閉可能となっている。筒体３１における連結部Ｃの下側には、ＦＴＴＨケーブル２の軸方向に延びる固定手段としてのフランジ３１ａが筒体３１と一体成形されている。フランジ３１ａには、ＦＴＴＨケーブル２の軸方向に所定の間隔で多数の固定穴３１ｂが形成されている。筒体３１の軸方向の中央部には、ＦＴＴＨケーブル２の軸方向と直交する方向に延びる分岐管３２が連結されている。分岐管３２は、筒体３１と一体成形されており、筒体３１と同様に連結部Ｃを中心として上下方向に開閉可能となっている。分岐管３２における連結部Ｃの下側には、ＦＴＴＨケーブル２の軸方向と直交する方向に延びるフランジ３２ａが分岐管３２と一体成形されている。フランジ３２ａには、ＦＴＴＨケーブル２の軸方向と直交する方向に所定の間隔で多数の固定穴が形成されている。
【００２０】
図５に示すように、筒体３１は、隣接する可動型ケーブル防護管装置２０の外側防護管２１または内側防護管２２と重ね合わせることが可能となっている。筒体３１が外側防護管２１または内側防護管２２と重ね合わされた状態では、筒体３１のフランジ３１ａに形成された多数の固定穴３１ｂは、外側防護管２１または内側防護管２２の固定穴２１ｃ、２２ｃと合致可能となっている。これにより、筒体３１の固定穴３１ｂに通される連結用紐Ｈを外側防護管２１の固定穴２１ｃまたは内側防護管２２の固定穴２２ｃに通すことにより、Ｔ字型ケーブル防護管３０を外側防護管２１または内側防護管２２に連結することが可能となっている。
【００２１】
筒体３１の接合部には、接合手段３１ｃが形成されている。接合手段３１ｃは、図９および図１０に示すように、接合板３１ｄ、３１ｅ、接合突起３１ｆ、接合穴３１ｇから構成されている。接合板３１ｄは、連結部Ｃを中心として筒体３１の上側外周部に沿って延びる板状部材であり、筒体３１と一体成形されている。同様に、接合板３１ｅは、連結部Ｃを中心として筒体３１の下側外周部に沿って延びる板状部材であり、筒体３１と一体成形されている。接合板３１ｄと接合板３１ｅは対向可能となっており、接合板３１ｄに形成された棒状の接合突起３１ｆと接合板３１ｅに形成された接合穴３１ｇとが嵌合することにより、接合板３１ｄと接合板３１ｅとの接合が行われるようになっている。
【００２２】
図６は、固定型ケーブル防護管４０の詳細を示している。固定型ケーブル防護管４０は、合成樹脂からなりＦＴＴＨケーブル２の軸方向に延びる筒状に形成されている。固定型ケーブル防護管４０は、軸方向に一定の長さを有しており、たとえば従来のケーブル用防護管と同様に軸方向の長さが２ｍまたは３ｍに設定されている。固定型ケーブル防護管４０は、ＦＴＴＨケーブル２を管内に挿入するための開閉可能な開口部４１ａを有している。開口部４１ａは、ＦＴＴＨケーブル２の軸方向に延びており、固定型ケーブル防護管４０の全長にわたって形成されている。固定型ケーブル防護管４０には、ＦＴＴＨケーブル２の軸方向に移動可能に重ね合わされた隣接する可動型ケーブル防護管装置２０における内側防護管２２と連結するための一対のフランジ４１ｂが形成されている。フランジ４１ｂは、開口部４１ａに沿ってＦＴＴＨケーブル２の軸方向に延びており、フランジ４１ｂにはＦＴＴＨケーブル２の軸方向に所定の間隔で形成された多数の固定穴４１ｃが形成されている。固定型ケーブル防護管４０が内側防護管２２と重ね合わされた状態では、固定型ケーブル防護管４０のフランジ４１ｂに形成された多数の固定穴４１ｃは、内側防護管２２の固定穴２２ｃと合致可能となっている。これにより、固定穴２２ｃに通された連結用紐Ｈをフランジ４１ｂの固定穴４１ｃに通すことによって、固定型ケーブル防護管４０は内側防護管２２と連結することが可能となっている。
【００２３】
つぎに、この実施の形態に係るＦＴＴＨケーブル防護管装置１０を用いたＦＴＴＨケーブル２の引き込み作業手順およびＦＴＴＨケーブル防護管装置１０の作用について説明する。
【００２４】
ＦＴＴＨケーブル２は、上述したように、光ファイバを伝送路として一般個人宅へ直接引き込むアクセス系の光通信網に使用されるものであり、図２に示すように、ＦＴＴＨケーブル２における心線２ｃが一般個人の家屋５０に引き込まれている。また、ＦＴＴＨケーブル２の心線２ｂも図示しない別の家屋に引き込まれている。ＦＴＴＨケーブル２の心線２ｃを家屋５０に引き込む際は、図３に示すように、電柱間の吊線１に支持金具３を固定し、この支持金具３の先端部に引き留め具４連結する。心線２ｃは、引張り強度の高い補強線２ｃａを有しているので、補強線２ｃａの端部を引き留め具４に支持させた状態で心線２ｃを補強線２ｃａとともに家屋５０側に引き込み、補強線２ｃａのみを家屋５０の外壁部５１に取付けられた固定具６に固定する。その後、外壁５１を通して心線２ｃを家屋５０内に引き込み、心線２ｃの通信用端末機器５３への接続を行う。同様に、ＦＴＴＨケーブル２の心線２ｂの別の家屋への引き込みも上記作業に準じて行う。
【００２５】
心線２ｂおよび心線２ｃの引き込み作業が終了すると、ＦＴＴＨケーブル２の分岐部を保護するためにＦＴＴＨケーブル防護管装置１０が取付けられる。まず、ＦＴＴＨケーブル２から分岐される心線２ｂおよび心線２ｃを支持するための支持金具３および引き留め具４の外周には、Ｔ字型ケーブル防護管３０が取付けられる。Ｔ字型ケーブル防護管３０は、筒体３１が連結部Ｃを中心として上下方向に開閉可能となっているので、心線２ｂおよび心線２ｃを上下方向から筒体３１で覆うことが可能となる。すなわち、心線２ｂおよび心線２ｃを筒体３１で覆った状態で、接合板３１ｄに形成された棒状の接合突起３１ｆと接合板３１ｅに形成された接合穴３１ｇとを嵌合させることにより、接合板３１ｄと接合板３１ｅを密着させることができ、ＦＴＴＨケーブル２から分岐された心線２ｂおよび心線２ｃの分岐部をＴ字型ケーブル防護管３０で覆うことができる。Ｔ字型ケーブル防護管３０は、ＦＴＴＨケーブル２の軸方向と直交する方向に延びる分岐管３２を有しているので、家屋５０側に延びる心線２ｃおよび別の家屋に延びる心線２ｂの分岐部は、それぞれ分岐管３２によって確実に保護される。
【００２６】
図１に示すように、ＦＴＴＨケーブル２の分岐された心線２ｂと心線２ｃとの間隔は、家屋５０の位置関係などの理由から作業場所毎に異なることがあり、心線２ｂと心線２ｃを覆うＴ字型ケーブル防護管３０の軸方向端部間の距離Ｌ１も場所毎に異なることになる。ここで、Ｔ字型ケーブル防護管３０の間に位置する可動型ケーブル防護管装置２０は、外側防護管２１と内側防護管２２とがＦＴＴＨケーブル２の軸方向に互いに移動可能となるように重ね合わされていることから、可動型ケーブル防護管装置２０の軸方向の長さを、Ｔ字型ケーブル防護管３０の軸方向端部間の距離Ｌ１に合わせて調整することができる。これにより、可動型ケーブル防護管装置２０の軸方向両端部はＴ字型ケーブル防護管３０の軸方向端部と密着することになり、可動型ケーブル防護管装置２０の軸方向の動きを防止することができる。また、心線２ｂと心線２ｃの分岐部を完全に覆うことが可能となるので、外力から確実にＦＴＴＨケーブル２を保護することができる。さらに、従来のようにケーブル用防護管を現場で切断して軸方向の長さを合わせる必要がなくなるので、現場での作業能率を高めることができる。可動型ケーブル防護管装置２０の保管については、軸方向の長さを最小長さに収縮させて保管することができるので、従来に比べて保管スペースを縮小することができる。
【００２７】
このように、この実施の形態においては、可動型ケーブル防護管装置２０は軸方向に伸縮可能なことから、図１の右側に配置される一方の可動型ケーブル防護管装置２０の軸方向の長さＬ２を調整することにより、ＦＴＴＨケーブル２の心線２ａを防護する範囲を自由に設定することが可能となる。同様に、図１の左側に配置される他方の可動型ケーブル防護管装置２０の軸方向の長さＬ３を調整することにより、ＦＴＴＨケーブル２の心線２ａ、２ｂ、２ｃを防護する範囲を自由に設定することが可能となる。また、図１に示す各防護管の組み合わせだけでなく、図５ないし図７に示すように、可動型ケーブル防護管装置２０と、Ｔ字型ケーブル防護管３０と、固定型ケーブル防護管４０を任意に組み合わせることにより、ＦＴＴＨケーブル防護管装置１０の軸方向の長さ自在に調整することができ、ＦＴＴＨケーブル２を最適な長さをもって防護することが可能となる。
【００２８】
この実施の形態におけるＦＴＴＨケーブル防護管装置１０は、ＦＴＴＨケーブル２の分岐以外にも使用可能であり、図１１に示すように、Ｔ字型ケーブル防護管３０を端部に配置することにより、電柱間におけるＦＴＴＨケーブル２の９０度のルート変更箇所にも適用することができる。したがって、ＦＴＴＨケーブル２の延線方向と直交する別のケーブルハンガー５´に沿って延びるＦＴＴＨケーブル２の保護も容易となる。
【００２９】
以上、この発明の実施の形態を詳述してきたが、具体的な構成はこの実施の形態に限られるものではなく、この発明の要旨を逸脱しない範囲の設計の変更等があっても、この発明に含まれる。例えば、ケーブル用防護管装置１０によって防護されるケーブルはＦＴＴＨケーブル２に限られず、他の種類の通信用ケーブルや電力ケーブルであってもよい。また、連結用紐Ｈを使用してケーブル用防護管をケーブルの軸方向の任意の位置に固定するようにしているが、連結用紐Ｈの代用として樹脂製のネジや固定ピンなどを採用する構成としてもよい。さらに、図６において外側防護管２１と内側防護管２２を共に軸方向にまっすぐ延びる直管としているが、いずれか一方をケーブルの分岐に用いるＴ字管とする構成であってもよい。
【図面の簡単な説明】
【００３０】
【図１】本発明の実施の形態に係わる可動型ケーブル防護管装置を用いたＦＴＴＨケーブル用防護管装置の全体斜視図である。
【図２】図１の可動型ケーブル防護管装置を用いたＦＴＴＨケーブルの家屋への引き込み状態を示す概要図である。
【図３】図１におけるＴ字型ケーブル防護管近傍の拡大斜視図である。
【図４】図１における可動型ケーブル防護管装置の斜視図であって、（ａ）は伸長時の可動型ケーブル防護管装置を示す斜視図であり、（ｂ）は収縮時の可動型ケーブル防護管装置示す斜視図である。
【図５】図４の可動型ケーブル防護管装置とＴ字型ケーブル防護管との接続状態を示す斜視図である。
【図６】図１のＦＴＴＨケーブル防護管装置における各防護管の組み合わせの変形例を示す斜視図である。
【図７】図１のＦＴＴＨケーブル防護管装置における各防護管の組み合わせの別の変形例を示す斜視図である。
【図８】図１のＴ字型ケーブル防護管の分解斜視図である。
【図９】図８のＡ部拡大斜視図である。
【図１０】図８のＢ部拡大斜視図である。
【図１１】図１におけるＴ字型ケーブル防護管の別の使用法を示す斜視図である。
【符号の説明】
【００３１】
１          吊線
２          ＦＴＴＨケーブル（ケーブル）
２ｂ        心線
２ｃ        心線
３          支持金具
４          引き留め具
５          ケーブルハンガー
１０        ＦＴＴＨケーブル防護管装置
２０        可動型ケーブル防護管装置
２１        外側防護管（ケーブル用防護管）
２１ａ      開口部
２１ｂ      フランジ（固定手段）
２２        内側防護管（ケーブル用防護管）
２２ａ      開口部
２２ｂ      フランジ（固定手段）
３０        Ｔ字型ケーブル防護管
３１ｆ      接合突起
３１ｇ      接合穴
４０        固定型ケーブル防護管
Ｈ          連結用紐
【図１】
2009153243.tif 000003
【図２】
2009153243.tif 000004
【図３】
2009153243.tif 000005
【図４】
2009153243.tif 000006
【図５】
2009153243.tif 000007
【図６】
2009153243.tif 000008
【図７】
2009153243.tif 000009
【図８】
2009153243.tif 000010
【図９】
2009153243.tif 000011
【図１０】
2009153243.tif 000012
【図１１】
2009153243.tif 000013